【手続補正書】
【提出日】平成19年2月14日(2007.2.14)
【手続補正１】
【補正対象書類名】明細書
【補正対象項目名】特許請求の範囲
【補正方法】変更
【補正の内容】
【特許請求の範囲】
【請求項１】  インクに熱エネルギーを印加してオリフィスから該インクを吐出させる為のヒータを備えた記録ヘッドを有するインクジェットプリンタの、該ヒータへのコゲの付着低減方法であって、
該ヒータが金属及び金属酸化物の少なくとも一方を含む最表面保護層を備え、且つ該インクが（ａ）色材、（ｂ）液媒体、及び（ｃ）アルダン酸及びアルダン酸塩から選択される少なくとも一つ、を含むインクであり、
該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とするヒータへのコゲ付着低減方法。
【請求項２】  前記金属がタンタルである請求項１記載のコゲ付着低減方法。
【請求項３】  前記金属酸化物がタンタルの酸化物である請求項１または２に記載のコゲ付着低減方法。
【請求項４】  該アルダン酸が酒石酸である請求項１〜３のいずれかに記載のコゲ付着低減方法。
【請求項５】  該アルダン酸塩が酒石酸塩である請求項１〜４のいずれかに記載のコゲ付着低減方法。
【請求項６】  該酒石酸塩が酒石酸リチウム、酒石酸ナトリウム、酒石酸カリウム、酒石酸ナトリウム、酒石酸ナトリウムカリウムおよび酒石酸の有機アンモニウム塩から選ばれる少なくとも一つである請求項５に記載のコゲ付着低減方法。
【請求項７】  インク流路内のインクに熱エネルギーを印加するヒータに記録信号に応じたパルス状の電気信号を付与し、該ヒータを発熱させて該インク流路内のインクを加熱することによって該インクをオリフィスから吐出させる工程を含むインクジェット記録方法において、該ヒータが金属及び金属酸化物の少なくとも一方を含む最表面保護層を備えており、且つ該インクが（ａ）色材、（ｂ）液媒体、及び（ｃ）アルダン酸及びアルダン酸塩の群から選択される少なくとも一つ、を含むインクであり、
該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とするインクジェット記録方法。
【請求項８】  インクを収容しているインク収容部、該インク収納部から導かれたインク流路内のインクに熱エネルギーを付与するヒータを有するインクジェット記録用ヘッド、及び記録情報に応じて該ヒータにパルス状の電気信号を印加する手段を具備しているインクジェット記録装置であって、
該ヒータは金属及び金属酸化物の少なくとも一方を含む最表面保護層を具備し、且つ該インクは（ａ）色材、（ｂ）液媒体、及び（ｃ）アルダン酸及びアルダン酸塩から選択される少なくとも一つ、を含むインクであり、
該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とするインクジェット記録装置。
【請求項９】  インクを収容しているインク収容部と、該インクを熱エネルギーの作用によりオリフィスから吐出させるためのインクジェット記録用ヘッド部とを有する記録ユニットであって、該インクジェット記録用ヘッド部は該インクに熱エネルギーを印加する為の、金属及び金属酸化物の少なくとも一方を含む最表面保護層を備えたヒータを具備し、且つ該インクが（ａ）色材、（ｂ）液媒体、及び（ｃ）アルダン酸及びアルダン酸塩の群から選択される少なくとも一つ、を含むインクであり、
該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とする記録ユニット。
【請求項１０】  インクに熱エネルギーを印加してオリフィスから吐出させる工程を含むインクジェット記録方法に用いる、インクに熱エネルギーを付与するヒータを具備している記録ヘッドの長寿命化方法であって、該ヒータに金属及び金属酸化物の少なくとも一方を含む最表面保護層を設けると共に、該インクとして（ａ）色材、（ｂ）液媒体、及び（ｃ）アルダン酸及びアルダン酸塩から選択される少なくとも一つ、を含むインクを用い、
該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすようにすることを特徴とする記録ヘッドの長寿命化方法。
【手続補正２】
【補正対象書類名】明細書
【補正対象項目名】０００６
【補正方法】変更
【補正の内容】
【０００６】
【課題を解決するための手段】
上記の目的を達成することのできるインクジェットプリンタのヒータへのコゲの付着低減方法の一実施態様は、インクに熱エネルギーを印加してオリフィスから該インクを吐出させる為のヒータを備えた記録ヘッドを有するインクジェットプリンタの、該ヒータへのコゲの付着低減方法であって、該ヒータが金属及び金属酸化物の少なくとも一方を含む最表面保護層を備え、且つ該インクが（ａ）色材、（ｂ）液媒体、及び（ｃ）アルダン酸及びアルダン酸塩から選択される少なくとも一つを含むインクであり、該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とする。
【手続補正３】
【補正対象書類名】明細書
【補正対象項目名】００１０
【補正方法】変更
【補正の内容】
【００１０】
また上記の目的を達成することのできるインクジェット記録方法の一実施態様は、インク流路内のインクに熱エネルギーを印加するヒータに記録信号に応じたパルス状の電気信号を付与し、該ヒータを発熱させて該インク流路内のインクを加熱することによって該インクをオリフィスから吐出させる工程を含むインクジェット記録方法において、該ヒータが金属及び金属酸化物の少なくとも一方を含む最表面保護層を備えており、且つ該インクが（ａ）色材、（ｂ）液媒体、及び（ｃ）アルダン酸及びアルダン酸塩の群から選択される少なくとも一つを含むインクであり、該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とする。
【手続補正４】
【補正対象書類名】明細書
【補正対象項目名】００１１
【補正方法】変更
【補正の内容】
【００１１】
また上記の目的を達成することのできるインクジェット記録装置の一実施態様は、インクを収容しているインク収容部、該インク収納部から導かれたインク流路内のインクに熱エネルギーを付与するヒータを有するインクジェット記録用ヘッド、及び記録情報に応じて該ヒータにパルス状の電気信号を印加する手段を具備しているインクジェット記録装置であって、該ヒータは金属及び金属酸化物の少なくとも一方を含む最表面保護層を具備し、且つ該インクは（ａ）色材、（ｂ）液媒体、及び（ｃ）アルダン酸及びアルダン酸塩から選択される少なくとも一つを含むインクであり、該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とする。
【手続補正５】
【補正対象書類名】明細書
【補正対象項目名】００１２
【補正方法】変更
【補正の内容】
【００１２】
また上記の目的を達成することのできる記録ユニットの一実施態様は、インクを収容しているインク収容部と、該インクを熱エネルギーの作用によりオリフィスから吐出させるためのインクジェット記録用ヘッド部とを有する記録ユニットであって、該インクジェット記録用ヘッド部は該インクに熱エネルギーを印加する為の、金属及び金属酸化物の少なくとも一方を含む最表面保護層を備えたヒータを具備し、且つ該インクが（ａ）色材、（ｂ）液媒体、及び（ｃ）アルダン酸及びアルダン酸塩の群から選択される少なくとも一つを含むインクであり、該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすことを特徴とする。
【手続補正６】
【補正対象書類名】明細書
【補正対象項目名】００１３
【補正方法】変更
【補正の内容】
【００１３】
更に上記目的を達成することのできる記録ヘッドの長寿命化方法の一実施態様は、インクに熱エネルギーを印加してオリフィスから吐出させる工程を含むインクジェット記録方法に用いる、インクに熱エネルギーを付与するヒータを具備している記録ヘッドの長寿命化方法であって、該ヒータに金属及び金属酸化物の少なくとも一方を含む最表面保護層を設けると共に、該インクとして（ａ）色材、（ｂ）液媒体、及び（ｃ）アルダン酸及びアルダン酸塩から選択される少なくとも一つを含むインクを用い、該インクを吐出させる為に該ヒータに投入するエネルギーをＥｏｐとし、該記録ヘッドから該インクを吐出させるために最低限必要な該ヒータへのエネルギー投入量をＥｔｈとしたとき、Ｅｏｐが下記
１．１０≦Ｅｏｐ／Ｅｔｈ≦１．５０
の関係を満たすようにすることを特徴とする。